(57)【要約】  本発明は血糖管理時計及び血糖管理方法に関し、血糖管理時計は、腕時計形状を有するハウジングと、前記ハウジングの一側に血糖ストリップの連結が可能であるように設置される血糖ストリップコネクターと、前記ハウジングに内装され、前記血糖ストリップが前記血糖ストリップコネクターに連結の時、自動に血糖測定タスクを活性化して前記血糖ストリップ上の血液の血糖を測定する血糖計と、を含む。【選択図】図２Ｂ
2016532130.tif 000002
【特許請求の範囲】
【請求項１】
腕時計形状を有するハウジングと、
前記ハウジングの一側に血糖ストリップの連結が可能であるように設置される血糖ストリップコネクターと、
前記ハウジングに内装され、前記血糖ストリップが前記血糖ストリップコネクターに連結の時、自動に血糖測定タスクを活性化して前記血糖ストリップ上の血液の血糖を測定する血糖計と、を含む血糖管理時計。
【請求項２】
前記ハウジングに設置され、前記血糖ストリップが前記血糖ストリップコネクターに連結されることを感知してインタラプト信号を発生する感知部と、
前記ハウジングに設置され、前記インタラプト信号にしたがって前記血糖計で前記血糖測定タスクを活性化するように制御するインタラプトハンドラーと、をさらに含む請求項１に記載の血糖管理時計。
【請求項３】
前記インタラプトハンドラーは、
前記インタラプト信号にしたがって前記血糖測定タスクが選択的に活性化されるように制御する請求項２に記載の血糖管理時計。
【請求項４】
前記血糖管理時計の識別子、前記血糖計によって測定された血糖情報及び前記血糖情報の測定時間情報を含む血糖測定データを単一データパケットに統合してメモリに格納する制御部をさらに含む請求項１に記載の血糖管理時計。
【請求項５】
前記血糖測定データを前記単一データパケット単位に外部機器に送信する通信モジュールをさらに含む請求項４に記載の血糖管理時計。
【請求項６】
予め設定された周期に前記通信モジュールの無線通信機能を活性化又は非活性化する状態制御部をさらに含み、
前記制御部は、
前記無線通信機能が活性化された状態で広告メッセージをブロードキャスティング伝送し、前記広告メッセージに対応する前記外部機器からの広告メッセージ受信信号に応答して無線ネットワークを設定する請求項５に記載の血糖管理時計。
【請求項７】
前記通信モジュールは、
予め設定された血糖測定時間に前記血糖計によって血糖が測定されない場合、血糖未測定通知メッセージを前記外部機器に送信する請求項５に記載の血糖管理時計。
【請求項８】
前記血糖ストリップコネクターを開閉するカバーをさらに含む請求項1に記載の血糖管理時計。
【請求項９】
前記カバーは、
ヒンジ軸を中心として回転する方式に前記血糖ストリップコネクターを開閉する構造に提供されるか、或いはスライドが動する方式に前記血糖ストリップコネクターを開閉する構造に提供される請求項８に記載の血糖管理時計。
【請求項１０】
前記血糖計で測定した血糖値が予め設定された臨界範囲から外れた場合、警報を発生する警報発生部をさらに含む請求項１乃至９の何れかに記載の血糖管理時計。
【請求項１１】
予め設定された血糖測定時間になると、前記血糖測定時間を知らせるアラームを発生するアラーム発生部をさらに含む請求項１に記載の血糖管理時計。
【請求項１２】
外部機器からの設定情報要請メッセージにしたがって設定情報を伝送し、前記設定情報から前記外部機器によって変更された新規設定情報を前記外部機器から受信し、前記血糖測定時間を前記新規設定情報にしたがって更新する血糖測定日程管理部をさらに含む請求項１１に記載の血糖管理時計。
【請求項１３】
前記血糖ストリップコネクターは、
前記血糖管理時計が使用者の腕首に着用された状態で、使用者の人体に向かう方向に形成される請求項１に記載の血糖管理時計。
【請求項１４】
請求項１に記載された血糖管理時計を利用して血糖を管理する血糖管理方法であって、
血糖ストリップが血糖ストリップコネクターに連結されたか否かを感知し、前記血糖ストリップが前記血糖ストリップコネクターに連結の時、自動に血糖計の血糖測定タスクを活性化して前記血糖ストリップ上の血液の血糖を測定する段階を含む血糖管理方法。
【請求項１５】
前記血糖を測定する段階は、
前記血糖ストリップが前記血糖ストリップコネクターに連結されることを感知してインタラプト信号を発生する段階と、
前記インタラプト信号にしたがって前記血糖測定タスクを活性化するように制御する段階と、を含む請求項１４に記載の血糖管理方法。
【請求項１６】
前記血糖管理時計の識別子、前記血糖計によって測定された血糖情報及び前記血糖情報の測定時間情報を含む血糖測定データを単一データパケットに統合する段階と、
前記血糖測定データを前記単一データパケット単位に外部機器に送信する段階と、をさらに含む請求項１５に記載の血糖管理方法。
【請求項１７】
外部機器からの設定情報要請メッセージにしたがって設定情報を伝送する段階と、
前記設定情報から前記外部機器によって変更された新規設定情報を前記外部機器から受信する段階と、
前記血糖測定時間を前記新規設定情報にしたがって更新する段階と、
更新された血糖測定時間になると、前記血糖測定時間を知らせるアラームを発生する段階と、
前記血糖計で測定した血糖値が予め設定された臨界範囲から外れた場合、警報を発生する段階と、をさらに含む請求項１４に記載の血糖管理方法。
【発明の詳細な説明】
【技術分野】
【０００１】
本発明は血糖管理時計及び血糖管理方法に関する。本発明は知識経済部のソフトウェアコンピューティング産業源泉技術開発事業の一環として遂行した研究から導出されたものである（課題管理番号：２０１２２７６５０１００、課題名：自律群集を支援するウェルビーイング型情報機器内装ソフトウェアプラットフォーム開発）。
【背景技術】
【０００２】
最近、技術の発展を通じて人々がいつどこでもネットワーク環境に接続できるユビキタス時代が到来したことにより、ネットワークに連結される情報技術産業もまたこれに歩調を合わせてその規模と範囲が拡大され、高齢化社会及びシルバー産業の成長にしたがって多い人々が健康及び医療分野に関心を傾けながら、ユビキタス技術とヘルスケアとを結合させて病院に行かなくとも健康診断や疾病管理等の多様な医療サービスを受けることができるようになった。例えば、糖尿患者は病院に行かなくとも自ら携帯できる血糖計を利用して血糖をチェックすることができるようになった。
【０００３】
しかし、急な人口高齢化によって慢性疾患の疾病負担が急増しており、慢性疾患の管理及び予防サービスの提供は相変わらず、不十分な実情である。慢性疾患の場合、ほとんど間違った生活習慣によって発症するので、事前に予防して徹底した管理などの対策が必要である。特に、代表的な慢性血糖疾患である糖尿病及び関連合併症は積極的な血糖調節と教育、正確な血糖検査を通じて予防及び管理されることができ、個人的に、そして社会的に糖尿病による費用負担を最小化できる血糖管理システムが必要である。
【０００４】
周期的な血糖疾患者の場合、周期的な血糖チェックを必要とする。このために、従来には糖尿患者が別のガバンやケースに血糖計を入れ所持して通いながら、周期的に血糖をチェックしなければならない不便なことがあった。また、従来には使用者が血糖計を利用して血糖を測定した後、血糖測定値を別に手書きで記録するか、或いは血糖測定値の記録のために血糖測定の時、他の端末（移動電話、スマートフォン等）を動作させて血糖測定値を入力しなければならない煩わしさがあった。
【発明の概要】
【発明が解決しようとする課題】
【０００５】
本発明の目的は携帯が簡単で、シンプルな方法に血糖を測定できる血糖管理時計及び血糖管理方法を提供することにある。
【０００６】
本発明が解決しようとする他の課題は血糖管理時計を利用して測定した血糖測定データを両方向無線通信を利用して個人モバイル端末又は病院等の外部機器に伝送して、使用者個人の血糖測定データを便利に収集でき、血糖測定データの活用度を高めて効果的な血糖管理医療サービスを提供できる血糖管理時計及び血糖管理方法を提供することにある。
【０００７】
本発明が解決しようとするその他の課題は予め設定された血糖測定日程に拘らず、使用者が血糖管理時計を利用して血糖を測定しなかった場合、保護者の個人端末又は医療陣の端末のような外部機器に血糖未測定通知メッセージを自動に通知することによって、徹底した血糖管理が可能であり、血糖が過度に高い緊急状況発生の時に速やかに対処できる血糖管理時計及び血糖管理方法を提供することにある。
【０００８】
本発明が解決しようとする課題は以上で言及された課題に制限されない。言及されない他の技術的課題は以下の記載から本発明が属する技術分野で通常の知識を有する者に明確に理解され得る。
【課題を解決するための手段】
【０００９】
前記課題を解決するための本発明の一側面による血糖管理時計は、腕時計形状を有するハウジングと、前記ハウジングの一側に血糖ストリップの連結が可能であるように設置される血糖ストリップコネクターと、前記ハウジングに内装され、前記血糖ストリップが前記血糖ストリップコネクターに連結の時、自動に血糖測定タスクを活性化して前記血糖ストリップ上の血液の血糖を測定する血糖計と、を含む。
【００１０】
本発明の一実施形態において、前記血糖管理時計は、前記ハウジングに設置され、前記血糖ストリップが前記血糖ストリップコネクターに連結されることを感知してインタラプト信号を発生する感知部と、前記ハウジングに設置され、前記インタラプト信号にしたがって前記血糖計で前記血糖測定タスクを活性化するように制御するインタラプトハンドラーと、をさらに含むことができる。
【００１１】
本発明の一実施形態において、前記血糖管理時計は、前記ハウジング内に設置され、前記インタラプトハンドラーは、前記インタラプト信号にしたがって前記血糖測定タスクが選択的に活性化されるように制御することができる。
【００１２】
本発明の一実施形態において、前記血糖管理時計は、前記血糖管理時計の識別子、前記血糖計によって測定された血糖情報及び前記血糖情報の測定時間情報を含む血糖測定データを単一データパケットに統合してメモリに格納する制御部をさらに含むことができる。
【００１３】
本発明の一実施形態において、前記血糖管理時計は、前記血糖測定データを前記単一データパケット単位に外部機器に送信する通信モジュールをさらに含むことができる。
【００１４】
本発明の一実施形態において、前記血糖管理時計は、予め設定された周期に前記通信モジュールの無線通信機能を活性化又は非活性化する状態制御部をさらに含み、前記制御部は、前記無線通信機能が活性化された状態で広告メッセージをブロードキャスティング伝送し、前記広告メッセージに対応する前記外部機器からの広告メッセージ受信信号に応答して無線ネットワークを設定することができる。
【００１５】
本発明の一実施形態において、前記通信モジュールは、予め設定された血糖測定時間に前記血糖計によって血糖が測定されない場合、血糖未測定通知メッセージを前記外部機器に送信することができる。
【００１６】
本発明の一実施形態において、前記血糖管理時計は、前記血糖ストリップコネクターを開閉するカバーをさらに含むことができる。
【００１７】
本発明の一実施形態において、前記カバーは、ヒンジ軸を中心として回転する方式に前記血糖ストリップコネクターを開閉する構造に提供されるか、或いはスライド移動する方式に前記血糖ストリップコネクターを開閉する構造に提供されることができる。
【００１８】
本発明の一実施形態において、前記血糖管理時計は、前記血糖計で測定した血糖値が予め設定された臨界範囲から外れた場合、警報を発生する警報発生部をさらに含むことができる。
【００１９】
本発明の一実施形態において、前記血糖管理時計は、予め設定された血糖測定時間になると、前記血糖測定時間を知らせるアラームを発生するアラーム発生部をさらに含むことができる。
【００２０】
本発明の一実施形態において、前記血糖管理時計は、外部機器からの設定情報要請メッセージにしたがって設定情報を伝送し、前記設定情報から前記外部機器によって変更された新規設定情報を前記外部機器から受信し、前記血糖測定時間を前記新規設定情報にしたがって更新する血糖測定日程管理部をさらに含むことができる。
【００２１】
本発明の一実施形態において、前記血糖ストリップコネクターは、前記血糖管理時計が使用者の腕首に着用された状態で、使用者の人体に向かう方向に形成されることができる。
【００２２】
前記課題を解決するための本発明の他の一側面によれば、前記血糖管理時計を利用して血糖を管理する血糖管理方法であって、血糖ストリップが血糖ストリップコネクターに連結されたか否かを感知し、前記血糖ストリップが前記血糖ストリップコネクターに連結の時、自動に血糖計の血糖測定タスクを活性化して前記血糖ストリップ上の血液の血糖を測定する段階を含む血糖管理方法が提供される。
【００２３】
本発明の一実施形態において、前記血糖を測定する段階は、前記血糖ストリップが前記血糖ストリップコネクターに連結されることを感知してインタラプト信号を発生する段階と、前記インタラプト信号にしたがって前記血糖測定タスクを活性化するように制御する段階と、を含むことができる。
【００２４】
本発明の一実施形態において、前記血糖管理方法は、前記血糖管理時計の識別子、前記血糖計によって測定された血糖情報及び前記血糖情報の測定時間情報を含む血糖測定データを単一データパケットに統合する段階と、前記血糖測定データを前記単一データパケット単位に外部機器に送信する段階と、をさらに含むさらに含むことができる。
【００２５】
本発明の一実施形態において、前記血糖管理方法は、外部機器からの設定情報要請メッセージにしたがって設定情報を伝送する段階と、前記設定情報から前記外部機器によって変更された新規設定情報を前記外部機器から受信する段階と、前記血糖測定時間を前記新規設定情報にしたがって更新する段階と、更新された血糖測定時間になると、前記血糖測定時間を知らせるアラームを発生する段階と、前記血糖計で測定した血糖値が予め設定された臨界範囲から外れた場合、警報を発生する段階と、をさらに含む。
【発明の効果】
【００２６】
本発明の実施形態によれば、簡単で、簡便な方式に血糖を測定することができ、電子機器の使用方法に慣れていない使用者も容易に血糖を測定することができる。
【００２７】
また、本発明の実施形態によれば、両方向無線通信を利用して血糖測定データを個人モバイル端末又は病院等の外部機器に伝送して、使用者個人の血糖測定データを便利に収集し、血糖測定データの活用度を高めて効果的な血糖管理医療サービスを提供することができる。
【００２８】
また、本発明の実施形態によれば、予め設定された血糖測定日程に拘らず、使用者が血糖管理時計を利用して血糖を測定しなかった場合、保護者の個人端末又は医療陣の端末のような外部機器に血糖未測定通知メッセージを自動に通知することによって、徹底した血糖管理が可能であり、血糖が過度に高い緊急状況発生の時に速やかに対処することができる。
【００２９】
本発明の効果は上述した効果に制限されない。言及されない効果は本明細書及び添付された図面から本発明が属する技術分野で通常の知識を有する者に明確に理解されるべきである。
【図面の簡単な説明】
【００３０】
【図１】本発明の一実施形態による血糖管理時計を示す斜視図である。
【図２Ａ】図１に図示された血糖管理時計のカバーを開放した状態を示す斜視図である。
【図２Ｂ】図１に図示された血糖管理時計を構成する血糖ストリップコネクターに血糖ストリップを結合した状態を示す斜視図である。
【図３】本発明の他の一実施形態による血糖管理時計を示す斜視図である。
【図４】本発明の一実施形態による血糖管理時計の構成図である。
【図５】本発明の一実施形態による血糖管理方法を示すシークェンスダイヤグラムである。
【図６】本発明の一実施形態による血糖管理時計から外部機器に伝送される血糖測定データを示す概略図である。
【図７】本発明の一実施形態による血糖管理時計から外部機器に血糖測定データが伝送されることを概略的に示す図面である。
【図８】本発明の一実施形態による血糖管理装置を構成する血糖管理時計と外部機器との間にデータを伝送する方式を示すシークェンスダイヤグラムである。
【図９】本発明の一実施形態による血糖管理時計と外部機器との間に設定情報を伝送して血糖測定日程を更新することを示すシークェンスダイヤグラムである。
【図１０】本発明の一実施形態による血糖管理時計を構成するディスプレー部を通じて血糖測定データを確認する過程を示す図面である。
【図１１】本発明の一実施形態による血糖管理時計を通じて血糖測定時間を設定する過程を示す図面である。
【図１２】本発明の一実施形態による血糖管理時計を通じて血糖測定日程を追加する過程を示す図面である。
【発明を実施するための形態】
【００３１】
本発明の他の長所及び特徴、そしてそれらを達成する方法は添付される図面と共に詳細に後述する実施形態を参照すれば明確になる。しかし、本発明は以下で開示される実施形態に限定されることではなく、互に異なる多様な形態に具現でき、単なる本実施形態は本発明の開示が完全になるようにし、本発明が属する技術分野で通常の知識を有する者に発明の範疇を完全に知らせるために提供されることであり、本発明は請求項の範疇によって定義されるだけである。
【００３２】
もし、定義されなかったとしても、ここで使用されるすべての用語（技術或いは科学用語を含む）はこの発明が属する従来技術で普遍的技術によって一般的に収容されることと同一の意味を有する。一般的な辞書によって定義された用語は関連された技術及び／或いは本出願の本文に意味することと同一の意味を有することと解釈され、そしてここで明確に定義された表現ではないけれとも、概念化されるか、或いは過度に形式的に解釈されない。
【００３３】
本明細書である構成が他の構成に連結されたという意味は必ず２つの構成が直接的に連結されるだけでなく、その他の構成が媒介されて間接的に連結されるものまで含む。本明細書で公知された構成に対する一般的な内容に関する説明は本発明の要旨を曇らないため省略することができる。本発明の図面で同一であるか、或いは相応する構成に対してはできるだけ同一の図面符号が使用される。
【００３４】
本発明の実施形態による血糖管理時計は血糖計を内装して血糖測定が可能である腕時計型の端末として、腕時計形状に提供されるハウジングに血糖ストリップの連結が可能であるように設置される血糖ストリップコネクターと、ハウジングに内装される血糖計を含み、血糖計は血糖ストリップが血糖ストリップコネクターに連結の時、自動に血糖測定タスクを活性化して血糖ストリップ上の血液の血糖を測定する。一実施形態として、感知部は血糖ストリップが血糖ストリップコネクターに連結されることを感知してインタラプト信号を発生し、インタラプトハンドラーはインタラプト信号にしたがって血糖計で血糖測定タスクを活性化するように制御する。
【００３５】
本発明の実施形態によれば、血糖計を腕時計型の端末に内装して携帯の便宜性を確保でき、使用者が血糖ストリップをハウジングに具備された血糖ストリップコネクターに連結する行為のみで、血糖計が自動に血糖測定タスクを活性化して血糖を測定するので、簡単で、簡便な方式に血糖を測定することができ、電子機器の使用方法に慣れていない使用者も容易に血糖を測定することができる。
【００３６】
本発明の実施形態による血糖管理時計は血糖ストリップが血糖ストリップコネクターに連結の時、血糖測定タスクを活性化して血糖ストリップ上の血液の血糖を測定し、血糖管理時計の識別子ＩＤ、血糖計によって測定された血糖情報及び血糖情報の測定時間情報を含む血糖測定データを単一データパケットに統合して自動に格納する。血糖管理時計のＩＤは使用者と一対一に対応するので、血糖管理時計のＩＤは、即ち、使用者ＩＤを示す。単一データパケットに統合された血糖測定データは両方向無線通信を利用して使用者の個人モバイル端末又は病院サーバー等の外部機器に伝送される。
【００３７】
これによって、基本的な医療情報（血糖情報）に使用者の個人情報を加えて使用者個人の血糖測定データを使用者毎に便利に収集でき、外部機器を通じて血糖測定データが総合的に管理されるので、血糖測定データの活用度を高めて効果的な血糖管理医療サービスを提供することができる。また、使用者が設定された血糖測定日程に血糖を測定しなかった場合、保護者の個人端末又は医療陣の端末のような外部機器に血糖未測定通知メッセージを自動に通知することによって、徹底した血糖管理が可能であり、血糖が過度に高い緊急状況の発生の時に速やかに対処することができる。
【００３８】
図１は本発明の一実施形態による血糖管理時計を示す斜視図であり、図２Ａは図１に図示された血糖管理時計のカバーを開放した状態を示す斜視図である。図１乃至図２Ａを参照すれば、本発明の一実施形態による血糖管理時計１００は腕時計の形状に提供される。血糖管理時計１００はハウジング１１０、血糖ストリップコネクター１２０、血糖計１３０、カバー１４０、ディスプレー部１５０、使用者インターフェイス部１６０、及びコネクター１７０を具備する。
【００３９】
ハウジング１１０は一般的な腕時計の形状を有し、その両側には使用者の腕首に着用するための腕首バンド形状の時計バンドが連結される。血糖ストリップコネクター１２０は血糖ストリップ１０が連結できるように血糖ストリップ１０に対応する形状に形成され、ハウジング１１０の一側にカバー１４０によって開放又は閉鎖されるように設置される。使用者が腕首に血糖管理時計１００を着用した状態で、血糖ストリップコネクター１２０が使用者の身体に向かう方向に配置されるようにすることによって、血糖測定の時、血糖ストリップ１０の挿入と採血過程で使用者の便宜性を高める。
【００４０】
血糖計１３０はハウジング１１０に内装され、血糖ストリップ１０が血糖ストリップコネクター１２０に連結する時、自動に血糖測定タスクを活性化して血糖ストリップ１０上に置かれる血液の血糖を測定する。カバー１４０は血糖ストリップコネクター１２０を開閉するようにハウジング１１０に設置される。カバー１４０は血糖ストリップコネクター１２０と、充電器や各種センサー又は格納媒体等が連結されるコネクター１７０が非使用の時、外部に露出されないように隠してデザイン機能を高め、雨水や異物質等が流れ込まれることを防止する。図２Ａに図示された実施形態で、カバー１４０は末端側に位置したヒンジ軸（未図示）を中心として回転する構造に提供され、カバー１４０を持ち上げるか、或いは下げることによって、開閉する方式になされている。一実施形態として、カバー１４０はワンタッチ方式に押して開けたり、閉めることができるように提供され、カバー１４０の下面にスプリング（未図示）を具備してスプリングによって開放された状態が維持されるようにする。
【００４１】
血糖ストリップ１０は血糖測定のために採血された血液が置かれる血液挿入部１１を具備し、血糖ストリップコネクター１２０の内に挿入されて接続されるか、或いはそこから分離できるように提供される。血糖ストリップ１０は図２Ｂに示したようにカバー１４０が開放された状態で血液挿入部１１が外部に露出された状態に血糖ストリップコネクター１２０に連結される。ディスプレー部１５０はハウジング１１０の前面に形成され、現在の日付、時刻や血糖測定値、血糖日程通知メッセージ、血糖非正常警告メッセージ等の情報を画面に表示する。ディスプレー部１５０は例えば、ＬＣＤ（ＬｉｑｕｉｄＣｒｙｓｔａｌＤｉｓｐｌａｙ）画面で提供されてもよい。
【００４２】
使用者は一般的な時計機能や血糖管理等の機能を遂行するための各種命令を使用者インターフェイス部１６０を通じて入力することができる。使用者インターフェイス部１６０は例えば、ストップウォッチボタン１６１、メニューボタン１６２、選択ボタン１６３を具備する。ストップウォッチボタン１６１は一般的な腕時計と同様にストップウォッチ機能を提供する。メニューボタン１６２は過去に測定した血糖測定データを確認するか、或いは血糖測定日程及びアラーム時間を確認及び設定する等の機能のために具備される。選択ボタン１６３は以前のメニューに復帰するか、或いは各種情報を設定した後に終了する等の機能のために具備される。
【００４３】
血糖管理時計１００は血糖ストリップ１０が血糖ストリップコネクター１２０に連結されない状態では一般的な腕時計の基本動作のようにディスプレー部１５０を通じて現在の日付と時刻等の情報を表示する。血糖ストリップ１０が血糖ストリップコネクター１２０に連結される瞬間、血糖管理時計１００は自動に一般的な時計モードから血糖測定モードに転換する。これによって、血糖計１３０は血糖測定タスクを実行して血糖を測定し、測定した血糖情報がディスプレー部１５０を通じて表示される。
【００４４】
使用者は別に使用者インターフェイス部１６０を操作しなくとも血糖ストリップ１０を血糖コネクター１２０に挿入し、採血した血液を血糖ストリップ１０に埋め込まれる行為のみで血糖値を確認できるので、簡単で、簡便な方式に血糖を測定することができる。したがって、電子機器を操作するのに慣れていない使用者も容易に血糖を測定することができる。血糖情報が測定されるか、或いは血糖ストリップ１０が血糖ストリップコネクター１２０から分離されれば、再び血糖測定モードから一般的な時計モードに転換され、現在の日付、時間表示、ストップウォッチ、アラーム等の一般的な時計機能が遂行される。
【００４５】
図３は本発明の他の一実施形態による血糖管理時計を示す斜視図である。図３に図示された実施形態を説明することにおいて、図１乃至図２Ｂに図示された実施形態と同一であるか、或いは相応する構成に対しては重複される説明を省略する。図３に図示された実施形態で、小さくて機能が密集された血糖管理時計１００で狭い空間を効率的に使用できるように、カバー１４０はスライドさせて開閉するスライド（ｓｌｉｄｅ）開閉構造で提供される。例えば、カバー１４０にはハウジング１１０に形成されたスライド溝（未図示）に沿ってスライド結合されるガイドバー（未図示）を具備する。他の例として、カバー１４０にスライド溝が形成され、ハウジング１１０にガイドバーが具備されてもよい。
【００４６】
図４は本発明の一実施形態による血糖管理時計の構成図であり、図５は本発明の一実施形態による血糖管理方法を示すシークェンスダイヤグラム（ｓｅｑｕｅｎｃｅ  ｄｉａｇｒａｍ）である。図４乃至図５に図示された実施形態を説明することにおいて、図１乃至図３に図示された実施形態と同一であるか、或いは相応する構成に対しては重複される説明を省略する。図１乃至図５を参照すれば、血糖管理時計１００はハウジング１１０、血糖ストリップコネクター１２０、感知部１２１、インタラプトハンドラー１２２、血糖計１３０、血糖測定日程管理部１３１、メモリ１３２、カバー１４０、ディスプレー部１５０、使用者インターフェイス部１６０、コネクター１７０、通信インターフェイス部１７１、通信モジュール１７２、状態制御部１７３、時間測定モジュール１８０、アラーム発生部１９０、及び制御部２００を含む。血糖管理時計１００の各構成の機能は制御部２００によって制御される。
【００４７】
感知部１２１はハウジング１１０内に設置され、血糖ストリップ１０が血糖ストリップコネクター１２０に連結されることを感知してインタラプト信号（ｉｎｔｅｒｒｕｐｔｅｖｅｎｔ）を発生する。例えば、血糖ストリップ１０が血糖ストリップコネクター１２０内に挿入されれば、血糖ストリップ１０の末端側がハウジング１１０内で電極（未図示）に接続され、これによって、抵抗や電力値が変化される。この時、感知部１２１は血糖ストリップ１０の結合による抵抗や電力値の変化を認識して血糖ストリップ１０が血糖ストリップコネクター１２０に連結されることを感知する（Ｓ１１）。感知部１２１は血糖ストリップ１０が血糖ストリップコネクター１２０に連結されることを感知する時、インタラプト信号を発生する（Ｓ１２）。感知部１２１は血糖ストリップコネクター１２０と別に具備されてもよく、血糖ストリップコネクター１２０内に一体化されてもよい。
【００４８】
インタラプトハンドラー１２２はハウジング１１０内に設置され、感知部１２１で発生したインタラプト信号にしたがって血糖計１３０で血糖測定タスクを自動的に活性化するように制御するための信号（活性化制御信号）を生成する。即ち、インタラプトハンドラー１２２はインタラプト信号にしたがって血糖計１３０のタスクが選択的に活性化されるように制御する。一実施形態において、インタラプトハンドラー１２２はインタラプト信号のインタラプト回数をカウントし、インタラプト回数が設定された値と一致すれば、血糖計１３０を動作させるための活性化制御信号を生成する。仮に、インタラプト回数が設定された値と一致しなければ、ディバイス認識誤謬を示すメッセージがディスプレー部１５０上に表示される。インタラプトハンドラー１２２によって生成された活性化制御信号は制御部２００に入力される。
【００４９】
制御部２００は活性化制御信号にしたがって時計タスクのＧＵＩ（Ｇｒａｐｈｉｃａｌ  Ｕｓｅｒ  Ｉｎｔｅｒｆａｃｅ）を非活性化し、血糖計１３０で血糖測定タスクを実行するように制御し、血糖測定用ＧＵＩを活性化する（Ｓ１４）。血糖ストリップ１０上に人体から採血した血液が供給されれば（Ｓ１５）、血糖計１３０は血糖測定タスクを実行して血糖ストリップ１０上の血液の血糖を測定する。一例として、血糖ストリップ１０に流れる電流は血糖にしたがって変化されるが、血糖計１３０は血糖ストリップ１０の電流値を測定して血糖を測定する。血糖計１３０で測定した血糖情報は制御部２００によってメモリ１３２に格納される（Ｓ１６）。
【００５０】
一実施形態において、制御部２００は図６に示したように、血糖管理時計１００の識別子ＩＤ６１と、血糖測定順序を示す一連番号６２、血糖計１３０によって測定された血糖情報６４、及び血糖情報が測定された測定時間情報６３を１つのデータパケットに統合して血糖測定データ６０を構築し、単一データパケットに統合された血糖測定データ６０をメモリ１３２に格納する。このように、血糖管理時計ＩＤ、血糖情報、血糖測定時間情報を１つのデータパケット形式に統合して資料を構築することによって、使用者の個人情報と血糖情報とが含まれた意味あるデータを生成する。このように統合されたデータはスマートフォンのような個人モバイル端末機又は医療サービスのためのサーバー端末等の外部機器に伝送され、これによってデータ活用の効用性を高める。
【００５１】
再び図１乃至図５を参照すれば、メモリ１３２は例えば、ＳＲＡＭ（Ｓｔａｔｉｃ  ＲＡＭ）、ＤＲＡＭ（Ｄｙｎａｍｉｃ  ＲＡＭ）、ＳＤＲＡＭ（Ｓｙｎｃｈｒｏｎｏｕｓ  ＤＲＡＭ）等のような揮発性メモリ又は  ＲＯＭ（Ｒｅａｄ  Ｏｎｌｙ  Ｍｅｍｏｒｙ）、ＰＲＯＭ（Ｐｒｏｇｒａｍｍａｂｌｅ  ＲＯＭ）、ＥＰＲＯＭ（Ｅｌｅｃｔｒｉｃａｌｌｙ  Ｐｒｏｇｒａｍｍａｂｌｅ  ＲＯＭ）、ＥＥＰＲＯＭ（Ｅｌｅｃｔｒｉｃａｌｌｙ  Ｅｒａｓａｂｌｅ  ａｎｄ  Ｐｒｏｇｒａｍｍａｂｌｅ  ＲＯＭ）、フラッシュメモリ装置、ＰＲＡＭ（Ｐｈａｓｅ−ｃｈａｎｇｅ  ＲＡＭ）、ＭＲＡＭ（Ｍａｇｎｅｔｉｃ  ＲＡＭ）、ＲＲＡＭ（Ｒｅｓｉｓｔｉｖｅ  ＲＡＭ）（登録商標）、ＦＲＡＭ（Ｆｅｒｒｏｅｌｅｃｔｒｉｃ  ＲＡＭ）（登録商標）等のような不揮発性メモリである。
【００５２】
ディスプレー部１５０は血糖値分析結果を画面に表示する。例えば、ディスプレー部１５０には測定した血糖値の数値と正常、非正常の可否、血糖を測定した時間、以後の血糖を測定する時間等の情報が表示される（Ｓ１７）。血糖計１３０で血糖測定が完了されれば、血糖計タスクが非活性化され（Ｓ１８）、時計ＧＵＩが活性化される（Ｓ１９）。
【００５３】
血糖測定日程管理部１３１は血糖を測定する日程目録を管理する。一実施形態として、血糖測定日程管理部１３１は使用者の個人モバイル端末（スマートフォン等）や病院サーバー等の外部機器からの設定情報要請メッセージにしたがって設定情報を伝送し、設定情報から変更された新規設定情報を外部機器から受信し、血糖測定時間を新規設定情報にしたがって更新する。血糖測定日程管理部１３１の機能に対しては後に図９を参照して後述する。
【００５４】
コネクター１７０はハウジング１１０の外面の一側に設置され、血糖管理時計１００に電源を供給するバッテリーを充電するための充電器、酸素飽和度、脈波、心拍数のような生体信号を測定するための各種センサー、血糖計１３０によって測定される血糖測定データを格納するか、或いは血糖管理時計１００に格納された血糖測定データをコピー、移動するための移動式格納媒体等の機器と連結されるように具備される。
【００５５】
通信インターフェイス１７１はコネクター１７０に連結される機器と血糖管理時計１００との間に各種メッセージや信号、データ等を送受信するためのインターフェイス機能を遂行する。通信インターフェイス１７１は多様な機器を支援し、互に異なる通信プロトコルを支援するように提供される。通信インターフェイス１７１はコネクター１７０に連結される機器にしたがって通信プロトコルを動的に活性化し、活性化した通信プロトコルにしたがって通信を遂行する。
【００５６】
通信インターフェイス１７１は、例えば、ＵＡＲＴ（Ｕｎｉｖｅｒｓａｌ  Ａｓｙｎｃｈｒｏｎｏｕｓ  Ｒｅｃｅｉｖｅｒ／Ｔｒａｎｓｍｉｔｔｅｒ）、Ｉ２Ｃ（Ｉｎｔｅｒ−Ｉｎｔｅｇｒａｔｅｄ  Ｃｉｒｃｕｉｔ  ｂｕｓ）、ＳＰＩ（Ｓｅｒｉａｌ  Ｐｅｒｉｐｈｅｒａｌ  Ｉｎｔｅｒｆａｃｅ）、ＧＰＩＯ（Ｇｅｎｅｒａｌ  Ｐｕｒｐｏｓｅ  Ｉｎｐｕｔ／Ｏｕｔｐｕｔ）、ＵＳＢ（Ｕｎｉｖｅｒｓａｌ  Ｓｅｒｉａｌ  Ｂｕｓ）、ＰＩＯ（Ｐｒｏｇｒａｍｍｅｄ  Ｉｎｐｕｔ／Ｏｕｔｐｕｔ）、ＡＤＣ（Ａｎａｌｏｇ−ｔｏ−Ｄｉｇｉｔａｌ  Ｃｏｎｖｅｒｔｅｒ）等の多様な通信プロトコルを支援することができる。
【００５７】
一実施形態として、コネクター１７０に機器を連結する時、コネクター１７０に連結された機器から血糖管理時計１００のインタラプトハンドラー１２２にインタラプトイベント信号が伝送される。コネクター１７０に連結される機器は機器毎に予め設定されているインタラプト回数を有するインタラプトイベント信号を発生する。コネクター１７０に連結された機器にしたがって互に異なるインタラプト回数を有するインタラプトイベント信号がインタラプトハンドラー１２２に伝送される。
【００５８】
インタラプトハンドラー１２２はインタラプトイベント信号のインタラプト回数をカウントする。制御部２００はインタラプトハンドラー１２２でカウントしたインタラプト回数にしたがって通信インターフェイス１７１で支援する通信プロトコルの中でコネクター１７０に連結された機器で支援する通信プロトコルを自動に認識し、通信インターフェイス１７１を制御して該当通信プロトコルを活性化する。したがって、多様な機器に対応して通信インターフェイス１７１の通信プロトコルを動的に活性化することによって、自動に、そしてコネクター１７０に機器が連結されることと同時に実時間に機器と血糖管理時計１００との間の通信ネットワークを設定する。
【００５９】
通信モジュール１７２はハウジング１１０内に設置され、使用者と保護者の個人モバイル端末、病院サーバー等のような外部機器（図７の図面符号３００）との間にデータを伝送するための通信インターフェイスである。例えば、通信モジュール１７２は血糖管理時計１００で測定した血糖測定データを外部機器３００に送信するか、或いは外部機器３００から血糖測定日程更新データを受信するか、或いは使用者が血糖測定日程に拘らず血糖を測定しなかった場合、保護者の個人モバイル端末、病院サーバー等の外部機器３００に血糖未測定を知らせるメッセージを送信する等の機能を遂行する。通信部１８０は、例えば、ブルートゥース（ｂｌｕｅｔｏｏｔｈ）(登録商標)、低電力ブルートゥース（ＢＬＥ；Ｂｌｕｅｔｏｏｔｈ  Ｌｏｗ  Ｅｎｅｒｇｙ）、ＬＦ送受信機又はＲＦ送受信機等の無線通信装置に構成されることができ、血糖管理時計１００と外部機器３００、４００との間に無線ネットワークを設定して実時間ストリーミング方式にデータを送受信する。
【００６０】
単一データパケット構造に統合された血糖測定データは互に異なる外部機器３００、４００の間に伝送されることができる。第１外部機器３００は血糖管理時計１００と両方向通信を遂行する端末、例えば、使用者や保護者のスマートフォン、スマートパッドのようなモバイル端末であり得る。第２外部機器４００は病院サーバー機能を遂行する端末として、使用者や保護者の端末からモバイルウェブを通じて血糖測定データを受信する。一方、血糖管理時計１００から病院サーバー等の第２外部機器４００に血糖測定データが直接伝送されるか、或いは第２外部機器４００から血糖更新情報を直接伝送して血糖管理時計１００の血糖日程等を更新することもできる。
【００６１】
状態制御部１７３は無線通信のための電力消耗を最少化するように、予め設定された周期に通信モジュール１７２の無線通信機能を活性化又は非活性化することができる。図８は本発明の一実施形態による血糖管理装置を構成する血糖管理時計と外部機器との間にデータを伝送する方式を示すシークェンスダイヤグラムである。図４及び図８を参照すれば、血糖管理時計１００の制御部２００は状態制御部１７３によって無線通信機能が活性化された状態で広告メッセージ（ａｄｖｅｒｔｉｓｉｎｇ  ｍｅｓｓａｇｅ）をブロードキャスティング（ｂｒｏａｄｃａｓｔｉｎｇ）伝送する（Ｓ２１）。
【００６２】
例えば、外部機器３００で使用者や保護者又は医療陣等によって血糖管理アプリケーションが実行されれば、外部機器３００は周辺信号を感知して広告メッセージをスキャニングする。外部機器３００は広告メッセージに応答して広告メッセージ受信信号を血糖管理時計１００に伝送してディバイス連結を遂行し、この過程で血糖管理時計１００と外部機器３００との間に無線ネットワークが設定される（Ｓ２２）。外部機器３００は血糖測定データ要請メッセージと以前の通信過程で最後に受信した血糖測定データの順序番号情報を血糖管理時計１００に伝送する（Ｓ２３、Ｓ２４）。血糖管理時計１００は血糖測定データ要請メッセージに応答して最後に送信した順序番号以後の蓄積された血糖測定データを単一データパケット単位に外部機器３００に伝送する（Ｓ２５〜Ｓ２７）。
【００６３】
一実施形態として、血糖管理時計１００の制御部２００は無線通信機能が非活性化されるか、或いは無線通信機能が活性化されても広告メッセージに対応する広告メッセージ受信信号が外部機器３００から伝送されない等の血糖管理時計１００と外部機器３００との間に無線通信が設定されていない場合、遅延許容（ｄｅｌａｙｔｏｌｅｒａｎｔ）方式を活用して血糖測定データを メモリ１３２に格納して置き、以後に外部機器３００と無線ネットワークが設定されれば、格納されている血糖測定データ、即ち、血糖管理時計１００のＩＤ、血糖情報、及び血糖測定時間情報が統合された血糖測定データを単一データパケット単位に外部機器３００に伝送する。これによって、使用者や使用者の保護者又は医療陣は外部機器３００を通じて使用者の血糖測定データを確認することができる。
【００６４】
血糖測定値は血糖管理時計のＩＤ及び血糖測定時間情報と統合されて１つの意味あるデータに加工された後、無線通信機能を利用して外部機器３００に伝送されて使用者本人や保護者又は主治医に提供されるので、医療測定データを収集することにおいて、便宜性が提供される。さらに、医療サービス提供者は多様な使用者から収集される血糖測定データを血糖管理時計のIDを通じて使用者別に区分して、多様な使用者に対して血糖値を時間にしたがってストリーム方式に確認でき、伝送された血糖測定データを活用して患者に適合な処方を行うか、或いは血糖測定日程を調整する等の措置を遂行することができる。
【００６５】
時間測定モジュール１８０はハウジング１１０内に設置され、時間情報を測定する。血糖ストリップ１０が血糖ストリップコネクター１２０から分離されている場合、制御部２００によって一般的な時計の機能に該当する時計タスクが遂行され、時間測定モジュール１８０で認識した日付と時刻とがディスプレー部１５０上に表示される。血糖ストリップ１０が血糖ストリップコネクター１２０に連結されれば、時計タスクは非活性化され、血糖測定タスクが開始され、ディスプレー部１５０上に血糖計１３０で測定した血糖測定データがディスプレーされることができる。
【００６６】
アラーム発生部１９０は予め設定された血糖測定時間になれば、血糖測定時間が到来したことを知らせるアラームを発生する。したがって、血糖測定時間を知らせる機能を通じて、使用者は正確な時間に血糖を測定することができる。アラーム発生部１９０は、例えば、振動を発生する振動モーター１９１や、アラーム音を発生するスピーカー１９２を含む。他の例として、アラーム発生部１９０はディスプレー部１５０上にメッセージを表示するか、アラームランプを点灯する等の異なる方式に使用者に血糖測定時間が到来したことを知らせてもよい。一方、使用者や保護者又は医療陣のスマート端末やコンピューター等の外部機器３００、４００で血糖管理のための専用プログラムが動作している場合、該当外部機器３００、４００でもアラーム音とポップアップ等の方式に血糖測定時間を知らせることも可能である。
【００６７】
本発明の実施形態で、血糖管理時計１００は血糖計１３０で測定した血糖値が臨界範囲から外れた場合、警報を発生する警報発生部（未図示）をさらに含む。警報発生部はアラーム発生部１９０と同一の方式或いは異なる方式に使用者に血糖値が非正常的な数値であることを知らせる。例示的に、警報発生部は血糖値が臨界範囲から外れた場合、ディスプレー部１５０を通じて危険状況を表示するか、或いはスピーカーを通じて警告音を発生する等の方式以外に、赤色警報灯を点滅する等の方式に使用者に危険性を知らせてもよい。
【００６８】
血糖値が正常的な範囲から外れる場合、血糖管理時計１００の通信モジュール１７２は血糖測定データと非正常的な数値であることを知らせるメッセージ等を保護者端末や病院サーバー等の外部機器に伝送するか、或いは危険状況を通知する文字メッセージを保護者の個人モバイル端末に伝送することができる。使用者が設定された血糖測定時間に血糖を測定しなかった場合、血糖管理時計１００の通信モジュール１７２は使用者が血糖を測定しなかったことを知らせるメッセージ（血糖未測定通知メッセージ）等を保護者端末や病院サーバー等の外部機器に伝送するか、或いは血糖測定不履行を通知する文字メッセージ（ＳＭＳ、ＭＭＳ等）を保護者の個人モバイル端末に伝送することができる。
【００６９】
図９は本発明の一実施形態による血糖管理時計と外部機器との間に設定情報を伝送して血糖測定日程を更新することを示すシークェンスダイヤグラムである。図４及び図９を参照すれば、血糖管理時計１００は広告メッセージ（ａｄｖｅｒｔｉｓｉｎｇ  ｍｅｓｓａｇｅ）をブロードキャスティング（ｂｒｏａｄｃａｓｔｉｎｇ）伝送し（Ｓ３１）、外部機器３００は広告メッセージに応答して広告メッセージ受信信号を血糖管理時計１００に伝送してディバイス連結を遂行する（Ｓ３２）。外部機器３００で血糖管理時計１００に設定情報要請メッセージを伝送すれば（Ｓ３３）、これに応答して血糖管理時計１００は血糖測定日程に関して現在設定されている設定情報を伝送する（Ｓ３４）。
【００７０】
続いて、使用者や保護者又は医療陣が外部機器３００を利用して血糖測定日程を既存設定情報から新しい設定情報に変更すれば（Ｓ３５）、修正された新規設定情報が外部機器３００から血糖管理時計１００に伝送される（Ｓ３６）。血糖管理時計１００は外部機器３００から受信した新規設定情報にしたがって血糖測定日程を更新し（Ｓ３７）、更新された日程をディスプレー部１５０を通じて表示する（Ｓ３８）。最後に、血糖管理時計１００は外部機器３００に設定情報更新完了通知メッセージを伝送する（Ｓ３９）。図９に図示された実施形態では外部機器３００を通じて血糖測定日程を更新するが、血糖管理時計１００を利用して血糖測定日程を更新することも可能である。
【００７１】
血糖測定データは血糖管理時計１００で使用者インターフェイス部１６０のメニューボタン１６２を操作して確認するか、或いは外部機器３００、４００、例えば、スマート端末やコンピューターの専用プログラムを通じて確認することができる。図１０は本発明の一実施形態による血糖管理時計を構成するディスプレー部を通じて血糖測定データを確認する過程を示す図面である。図１乃至図３及び図１０を参照すれば、血糖管理時計１００が一般的な時計タスクを遂行する時計モードに動作する場合、図１０の（ａ）に示したようにディスプレー部１５０には基本的に現在の日付と時間とが表示される。
【００７２】
血糖ストリップコネクター１２０に血糖ストリップ１０を挿入すれば、時計モードから血糖測定モードに転換され、これによって血糖計１３０で血糖測定タスクが自動に活性化され、図１０の（ｂ）に示したようにディスプレー部１５０上に“血糖測定待機中”というメッセージが表示される。血糖計１３０で血糖測定を完了すれば、図１０の（ｃ）に示したようにディスプレー部１５０上に測定値が表示された後、再び図１０の（ａ）に図示されたような時計モードに復帰する。
【００７３】
時計モードで使用者がメニューボタン１６２を押すと、図１０の（ｄ）に図示されたようなメニューリーストがディスプレー部１５０上に表示され、メニューリーストの第１番目のアイテムである“血糖値確認”項目にカーソルが位置する。メニューボタン１６２を押すたびにかーソルは隣接する他の項目に移動される。“血糖値確認”項目にカーソルが位置した状態で選択ボタン１６３を入力すれば、図１０の（ｅ）に図示されたような血糖値リーストが表示される。血糖値リーストには血糖を測定した日付と時間情報、血糖測定値が含まれる。使用者はメニューボタン１６２を利用してカーソルを移動して血糖値を確認でき、選択ボタン１６３を入力すれば、再びメニューリースト画面に戻る。
【００７４】
図１１は本発明の一実施形態による血糖管理時計を通じて血糖測定時間を設定する過程を示す図面である。図１１の（ａ）に示したように、メニューボタン１６２の選択ボタン１６３を利用してディスプレー部１５０上に表示されるメニューリーストで“血糖測定時間設定”項目を選択すれば、図１１の（ｂ）に図示されたような血糖測定日程リーストが表示される。この時、血糖測定日程リーストで更新する項目を選択した後、図１１の（ｃ）乃至（ｅ）に示したように、修正、削除項目を選択して血糖測定日程を修正、削除するか、或いは確認を選択して血糖測定日程リーストに戻ることができる。一方、新しい血糖測定日程を追加する場合、図１２の（ａ）に図示されたような血糖測定日程リースト画面で“Ｅｍｐｔｙ”項目を選択し、図１２の（ｂ）に図示された画面で“追加”項目を選択した後、図１２の（ｃ）乃至（ｅ）に示したように血糖を測定割時間情報を入力する。
【００７５】
本発明の実施形態は慢性疾患である血糖疾患に苦しむ患者や、個人ヘルスケアに関心を有する使用者に腕時計型に提供される血糖管理時計１００に内装されて連動動作する血糖計１３０を支援することによって、血糖測定の時、便宜性を提供する。本発明の実施形態によれば、血糖ストリップコネクター１２０に血糖ストリップ１０を連結する行為だけで、そして外部機器３００、４００、例えば、使用者スマートフォンのアプリケーションを実行する行為だけで、血糖測定及びデータ伝送のためのすべての動作が自動に遂行され、血糖管理時計１００と外部機器との間に無線通信機能を遂行するための操作が最小化される。したがって、使用者が簡単で、容易に血糖を測定することができ、高齢の患者等のように電子機器の操作に慣れていない使用者も特別な難しいさ無しで血糖測定データ収集が可能である。
【００７６】
本発明の実施形態によれば、使用者が設定された血糖測定日程に合わせて血糖を測定するようにアラームを発生し、測定した血糖値が危険数値に該当するか、或いは使用者が血糖測定日程に拘らず血糖を測定しなかった場合、血糖管理時計１００の無線送受信機能を活用して、使用者や保護者又は医療専門家に該当情報を自動に通知することによって、より徹底に血糖を管理でき、血糖が過度に高い緊急状況の発生の時に速やかに対処することができる。したがって、糖尿病及び関連合併症を予防でき、血糖疾患による社会的費用を減らすことができる。
【００７７】
以上の実施形態は本発明の理解を助けるために提示されたものであり、本発明の範囲を制限しなく、これから多様な変形可能である実施形態も本発明の範囲に属することを理解すべきである。本発明の技術的保護範囲は特許請求範囲の技術的思想によって定まられ、本発明の技術的保護範囲は特許請求範囲の文言的記載その自体に限定されることではなく、実質的に技術的価値が均等な範疇の発明に対してまで及ぶことを理解すべきである。
【図１】
2016532130.tif 000003
【図２ａ】
2016532130.tif 000004
【図２ｂ】
2016532130.tif 000005
【図３】
2016532130.tif 000006
【図４】
2016532130.tif 000007
【図５】
2016532130.tif 000008
【図６】
2016532130.tif 000009
【図７】
2016532130.tif 000010
【図８】
2016532130.tif 000011
【図９】
2016532130.tif 000012
【図１０】
2016532130.tif 000013
【図１１】
2016532130.tif 000014
【図１２】
2016532130.tif 000015
【国際調査報告】
2016532130.tif 000016
2016532130.tif 000017
2016532130.tif 000018
2016532130.tif 000019